(57)【要約】【課題】スタッキング、ネスティングが可能で、ポケット部の底面に底部開口が形成された運搬用容器であっても、ポケット部の強度が失われることのない運搬用容器を提供する。【解決手段】スタッキング、ネスティングが可能な運搬用容器において、ポケット部Ｐの底部に、底部開口３０を設け、かつ、この底部開口３０に棒状リブ３１を差し渡すとともに、支脚部Ｃの下面に、凹部３２を設け、支脚部Ｃの凹部３２がポケット部Ｐの棒状リブ３１を嵌入するようにした。【選択図】　図７
2004059125.tif 000002
【特許請求の範囲】
【請求項１】
開口縁にフランジ部を有する容器本体の側壁部の外面下部に支脚部を、内面上部の前記支脚部と点対称位置にポケット部をそれぞれ設けて、前記容器本体を一方の向きで重ね合わせた時に上位の容器本体の支脚部が下位の容器本体のフランジ部上に位置し、他方の向きで重ね合わせた時に上位の容器本体の支脚部が下位の容器本体のポケット部内に没入するようにした運搬用容器において、
前記ポケット部の底部に、底部開口を設け、かつ、この底部開口に棒状リブを差し渡すとともに、
前記ポケット部に対応する前記支脚部の下面に、前記棒状リブを収容する凹部を設け、
２つの容器を他方の向きで重ね合わせた時に、前記支脚部の凹部が前記ポケット部の棒状リブを嵌入するようにしたことを特徴とする運搬用容器。
【発明の詳細な説明】
【０００１】
【発明の属する技術分野】
本発明は、運搬用容器に関し、さらに詳しくは、複数の容器を上下方向に積み重ねるのに際し、内部に内容物を収容した状態では、背を高くした状態で、空となった状態では背を低くした状態で、それぞれ多段に積み重ねることができるようにした運搬用容器に関する。
【０００２】
【従来の技術】
食品を始めとし、商品の保管あるいは運搬用容器として広く利用されている合成樹脂製のコンテナの中には、内部に内容物を収容して多段にする場合に、背を高くした状態で積み重ねる（以下、スタッキングという）とともに、内部が空となった時には、背を低くした状態で重ねる（以下、ネスティングという）ようにしたコンテナがある。
【０００３】
この種の運搬用容器は、一般にＳＮコンテナと称されており、内部に内容物を収容していないに嵩張らないなどの利点がある。この運搬用容器（ＳＮコンテナ）として、出願人は、先に特願２０００−５６０２４号（特開２００１−２４００６０号）として、図８に示すようなものを提案した。
即ち、運搬用容器の容器本体１は、底板部２及び該底板部２の周縁部から立設される四側壁部３，４，５，６とから上方に開口した箱型に形成され、前記各側壁部３，４，５，６は、上方に向かって外方に徐々に拡がるよう形成されており、これらの開口縁には、矩形枠状に連続したフランジ部７が一体に連接されている。
【０００４】
長手側の一方の側壁部４の外面下部には、支脚部８，９が突出して形成されている。これらの支脚部８，９は、異なる形状に、即ち、支脚部９の幅の方が支脚部８の幅よりも幅広に形成されている。また、この側壁部４と相対する側壁部３の内面上部には、底板部２の中央の点Ｏを中心として前記支脚部８，９と点対称の位置に、それぞれ支脚部８，９を嵌入することのできるポケット部１０，１１が各々形成されている。
【０００５】
長手側の他方の側壁部３の外面には、前記側壁部４の場合と同様に支脚部８，９が形成され、側壁部４の内面上部には、前記側壁部３と同様にポケット部１０，１１がそれぞれ形成されている。
一方、短手側の側壁部５の外面下部には、支脚部１２，１２が突出して形成されている。また、この側壁部５と相対する他方の側壁部６の内面上部には。底板部２の中央の点Ｏを中心として支脚部１２，１２と点対称の位置に、それぞれ支脚部１２，１２を嵌入することができるポケット部１３，１３が各々形成されている。
【０００６】
さらに、短手側の他方の側壁部６の外面下部には、前記側壁部５の場合と同様に、支脚部１４，１４が形成され、この側壁部６と相対する前記側壁部５の内面上部には、底板部２の中央の点Ｏを中心として支脚部１４，１４と点対称の位置に、それぞれ支脚部１４，１４を嵌入することができるポケット部１５，１５が各々形成されている。
【０００７】
なお、側壁部５における支脚部１２，１２間の間隔の方が、側壁部６における支脚部１４，１４間の間隔より広く形成されている。これにより、２つの容器本体１を同一の向きで上下方向に重ね合わせると、上方に位置する容器本体１の上端のフランジ部７の上に位置して、スタッキング状態となる。
一方、２つの容器本体１を互いに異なる向きに、すなわち一方の容器本体１を他方の容器本体１に対して１８０°回転させた状態で上下方向に重ね合わせると、上方に位置する容器本体１の各側壁部３，４，５，６の内面上部に形成した各ポケット部１０，１１，１３，１５の中に、すなわち支脚部８はポケット部１０内に、支脚部９はポケット部１１内に、支脚部１２はポケット部１３内に、支脚部１４はポケット部１５内にそれぞれ没入して、ネスティング状態となるようになっている。
【０００８】
ところで、このようなＳＮコンテナでは、図９に示したように、多段にネスティングしたコンテナと、多段にスタッキングしたコンテナとが混在されると、以下のような問題が生じてしまう。
すなわち、図９（Ａ）は３つの容器をネスティングしたコンテナグループを示し、図９（Ｂ）は２つの容器をスタッキングしたコンテナグループを示したものである。なお、図９においては、ポケット部は単にＰとし、支脚部は単にＣとして示している。
【０００９】
図９（Ａ）に示したように、３つの容器Ｂ１，Ｂ２，Ｂ３をネスティングした場合の全体の高さＨ３は、図９（Ｂ）に示したように、２つの容器Ｂ４、Ｂ５をスタッキングした場合の全体の高さＨ４と比べて、図９（Ａ）のように、真ん中に位置する容器Ｂ２のポケット部Ｐの下方にフランジ７が配置され、ポケット部Ｐの上方に支脚部Ｃの下面が重なるため、ポケット部Ｐの底部の厚さｔ１だけ、Ｈ３の方がＨ４より高くなる。
【００１０】
したがって、図１０に示したように、これら３段のコンテナグループと２段のコンテナグループとの間に、他のコンテナＢ６を載せると、Ｂ６が２段のコンテナグループ側に傾いてしまうことになる。これに対処するために、上述のコンテナでは、図１１に拡大して示したように、各ポケット部Ｐの内面底部を底部開口２０として、ここを切り欠いて孔２０としている。
【００１１】
したがって、このようなＳＮコンテナ１によれば、多数の容器をネスティングした場合であっても、ポケット部Ｐの底面の厚さが加わらないため、図９（Ａ），（Ｂ）のように３段のネスティンググループと、２段のスタッキンググループとを比べてみた場合に、同じ高さＨ４とすることが可能になる。
【００１２】
【発明が解決しようとする課題】
ところで、このようにポケット部Ｐの内面底部を切り欠いて、図１１のように底部開口２０すなわち孔２０としたものでは、ポケット部Ｐを構成する周囲の強度が弱くなってしまうという問題があった。
本発明は、このような問題に鑑み、スタッキング、ネスティングが可能で、ポケット部の底面に底部開口が形成された運搬用容器であっても、ポケット部の強度が失われることのない運搬用容器を提供することを目的としている。
【００１３】
【課題を解決するための手段】
上記目的を達成するための本発明は、
開口縁にフランジ部を有する容器本体の側壁部の外面下部に支脚部を、内面上部の前記支脚部と点対称位置にポケット部をそれぞれ設けて、前記容器本体を一方の向きで重ね合わせた時に上位の容器本体の支脚部が下位の容器本体のフランジ部上に位置し、他方の向きで重ね合わせた時に上位の容器本体の支脚部が下位の容器本体のポケット部内に没入するようにした運搬用容器において、
前記ポケット部の底部に、底部開口を設け、かつ、この底部開口に棒状リブを差し渡すとともに、
前記ポケット部に対応する前記支脚部の下面に、前記棒状リブを収容する凹部を設け、
２つの容器を他方の向きで重ね合わせた時に、前記支脚部の凹部が前記ポケット部の棒状リブを嵌入するようにしたことを特徴としている。
【００１４】
係る構成による運搬用容器によれば、ポケット部の底面が棒状リブで補強され、しかも、ネスティングした場合に、支脚部の凹部内に棒状リブが収容されるので、棒状リブがネスティングに邪魔になることもない。
【００１５】
【発明の実施の形態】
以下、本発明の一実施例を図１〜図７を参照しながら具体的に説明する。なお、従来例と同一部分については、同一の符号を付してその説明を省略する。
即ち、本実施例の従来例と異なる点は、以下の通りである。
本実施例において、運搬用容器（ＳＮコンテナ）の容器本体４０のポケット部１０，１１，１３，１５の底部を底無しとなるように、底部開口３０（孔３０）が形成されている。
【００１６】
また、これらのポケット部１０，１１，１３，１５の底部開口３０には、フランジ７の幅方向と同じ方向に延びる棒状リブ３１が差し渡されることにより、底部開口３０が２つに分割されている。
一方、ネスティング時に、これらのポケット部１０，１１，１３，１５に嵌入される支脚部８，９，１２，１４には、例えば、図３、図４に示したように、それぞれ下方に開口した凹部３２が形成されている。
【００１７】
なお、支脚部８，９，１２，１４の下面両端部には、寄せリブ４１と称される小さい突起が両端部に垂下して設けられ、この寄せリブ４１が設けられることにより、図５（Ｂ）に示したように、容器を上下にスタッキングしたときのガタの発生が防止されている。一方、各支脚部にこれらの寄せリブ４１を設けることに伴って、図７に例示したように、これに対応するポケット部１０，１１，１３，１５の両端部内壁面に、２つのスリット４３が設けられている。
【００１８】
以下に、上述したように、各ポケット部１０，１１，１３，１５に底部開口３０と棒状リブ３１が、支脚部８，９，１２，１４に凹部３２が形成された容器４０を、スタッキングあるいはネスティングした場合について図５を参照しながら説明する。
本実施例においては、図５（Ａ）に示したように、３つの容器本体Ｂ１，Ｂ２，Ｂ３をネスティングした場合には、真ん中の容器Ｂ２のポケット部Ｐ２に、一番上の容器Ｂ３の支脚部Ｃ３が挿入される。このとき、ポケット部Ｐ２の底部には、底部開口３０が形成されているので、一番上の容器Ｂ３の支脚部Ｃ３は、一番下に位置する容器Ｂ１のフランジ７上に載置されることになる。従って３つの容器Ｂ１，Ｂ２，Ｂ３をネスティングした場合の全体の高さは、真ん中の容器Ｂ２に関係なく、一番下に位置する容器Ｂ１のフランジ７に、一番上の容器Ｂ３の支脚部Ｃ３を載せたのと同じであり、換言すれば、一番下に位置する容器Ｂ１と一番上の容器Ｂ３とをスタッキングしたのと同じである。つまり、実際の寸法でいえば、１つの容器Ｂ１の高さが１８０ｍｍ、底部に設けた嵌入代が１１ｍｍであるとき、２段目をネスティングしたときの高さは、１８０ｍｍ＋９０ｍｍ＋１１ｍｍの合計２８１ｍｍであり、その上に３段目の容器Ｂ３をネスティングすると、これに９０ｍｍを加えた３７１ｍｍとなる。
【００１９】
これは、一番下の容器Ｂ１に一番上の容器Ｂ３をスタッキングしたのと同じになる。
一方、図５（Ｂ）に示されているように、２つの容器Ｂ４とＢ５とをスタッキングした場合には、上に位置する容器Ｂ５の支脚部Ｃ５は、下に位置する容器Ｂ４のフランジ部７上に載置される。従って、３つの容器Ｂ１，Ｂ２，Ｂ３をネスティングした場合の全体の高さと、２つの容器Ｂ４，Ｂ５をスタッキングした場合の全体の高さは同じになる。実際の寸法でいえば、この時の高さは１１＋１８０＋１８０＝３７１ｍｍとなり、図５（Ａ）に示したように、３段にネスティングしたときの全体の高さ３７１ｍｍと同じになる。
【００２０】
よって、これらの上に他の容器を、従来例の図１０のように重ねた場合は、どちらかに傾くことなく、安定した姿勢で他の容器Ｂ６をクロス積みすることが可能になる。
また、図６に示したように、上記実施例によれば、例えば、２つの容器Ｂ１とＢ２とをネスティングしたときに、各ポケット部Ｐの棒状リブ３１は、ここに嵌り合う支脚部Ｃの凹部３２に嵌入されるので、２つの容器のネスティングの邪魔になることはない。
【００２１】
以上説明したように、本実施例の運搬用容器によれば、各ポケット部に底部開口３０が設けられ、しかも、その底部開口３０を横断するように棒状リブ３１が形成されているので、ポケット部の強度が向上される。したがって、仮に容器が乱暴に扱われることがあったり、横転するようなことがあったりしても損傷を受けることが防止される。
【００２２】
以上、本発明の一実施例について説明したが、本発明は上記実施例に何ら限定されない。
例えば、上記実施例では、支脚部に寄せリブ４１を、ポケット部にスリット４３をそれぞれ設けているが、これらは必須のものではない。
また、上記実施例では、棒状リブ３１として、直線状に延びる一本のリブを示したが、勿論、棒状リブは、十文字状あるいは格子状などであっても良い。その場合には、支脚部に設ける凹部３２の形状もその棒状リブを嵌合し得る略相補的な形状にすればよい。
【００２３】
【発明の効果】
以上説明したように、本発明の運搬用容器によれば、ポケット部に底部開口が形成されているとしても、その底部開口を横断するように棒状リブが差し渡されているので、ポケット部の強度が向上する。また、ネスティング時には、ポケット部の棒状リブが、支脚部に設けられた凹部に嵌入されることから、スタッキング効率が良好で、容器のスタッキングあるいはネスティングが混在されているとしても、その上に安定した姿勢で他の容器をクロス積みを行うことのできるＳＮコンテナを提供することができる。
【図面の簡単な説明】
【図１】図１は本発明の一実施例による運搬用容器の平面図である。
【図２】図２は図１におけるＡ−Ａ線方向の断面図である。
【図３】図３は図１の正面図である。
【図４】図４は図１の左側面図である。
【図５】図５（Ａ）は図１の容器を３段にネスティングしたときの断面図、図５（Ｂ）は図１の容器を２段にスタッキングしたときの断面図である。
【図６】図６は２つの容器をネスティングするときのポケット部と支脚部の嵌合を、一方を側面図で、他方を断面図で示した図面である。
【図７】図７は本実施例による運搬用容器の部分拡大斜視図である。
【図８】図８は従来の運搬用容器の斜視図である。
【図９】図９（Ａ）は従来の３つの運搬用容器をネスティングしたときの断面図、図９（Ｂ）は従来の２つの運搬用容器をスタッキングしたときの断面図である。
【図１０】図１０はネスティングされた従来の３つの運搬用容器とスタッキングされた従来の２つの運搬用容器に従来の運搬用容器をクロス積みした概略正面図である。
【図１１】図１１は従来の運搬用容器を一部拡大して示した破断斜視図である。
【符号の説明】
３，４，５，６　　　　　　側壁部
７　　　　　　　　　　　　フランジ部
８，９，１２，１４　　　　支脚部
１０，１１，１３，１５　　ポケット部
３０　　　　　　　　　　　底部開口（孔）
３１　　　　　　　　　　　棒状リブ
３２　　　　　　　　　　　凹部
４０　　　　　　　　　　　容器本体
Ｃ　　　　　　　　　　　　支脚部
Ｐ　　　　　　　　　　　　ポケット部
【図１】
2004059125.tif 000003
【図２】
2004059125.tif 000004
【図３】
2004059125.tif 000005
【図４】
2004059125.tif 000006
【図５】
2004059125.tif 000007
【図６】
2004059125.tif 000008
【図７】
2004059125.tif 000009
【図８】
2004059125.tif 000010
【図９】
2004059125.tif 000011
【図１０】
2004059125.tif 000012
【図１１】
2004059125.tif 000013